(57)【要約】【課題】  ヘリカルスキャンにより所期の目的に合致した撮影を行うための撮影条件の設定が容易な撮影条件設定方法およびＸ線ＣＴ装置を実現する。【解決手段】  Ｘ線ＣＴ装置ヘリカルスキャンによる撮影を行うにあたり、種々の撮影条件を予めテーブル化し（６６）、使用者によって指定された患者の長幼、撮影部位、撮影長および最優先目標に応じてテーブルから撮影条件の候補を抽出するとともにその撮影条件の候補の下での患者のドースを表示し（６０１−６０７）、ドースを使用者が調整することを可能にし（６０９）、撮影条件の候補にドースの調整に応じた修正を施して撮影条件を確定する（６１３）。撮影条件の候補が複数ある場合は使用者によって指定された次優先目標（６１１）に基づいて撮影条件を確定するようにしてもよい。【選択図】      図６
2005080748.tif 000002
【特許請求の範囲】
【請求項１】
ヘリカルスキャンによる撮影を行うＸ線ＣＴ装置のための撮影条件設定方法であって、
種々の撮影条件を予めテーブル化し、
使用者によって指定された患者の長幼、撮影部位、撮影長および最優先目標に応じて前記テーブルから撮影条件の候補を抽出するとともにその撮影条件の候補の下での患者の被曝線量を表示し、
前記被曝線量を使用者が調整することを可能にし、
前記撮影条件の候補に前記被曝線量の調整に応じた修正を施して撮影条件を確定する、
ことを特徴とする撮影条件設定方法。
【請求項２】
前記最優先目標は被曝線量である、
ことを特徴とする請求項１に記載の撮影条件設定方法。
【請求項３】
前記最優先目標は被曝線量、画質および撮影速度のうちのいずれかである、
ことを特徴とする請求項１に記載の撮影条件設定方法。
【請求項４】
前記被曝線量はＤＬＰで表される、
ことを特徴とする請求項２または請求項３に記載の撮影条件設定方法。
【請求項５】
前記撮影条件の候補が複数ある場合は使用者によって指定された次優先目標に基づいて撮影条件を確定する、
ことを特徴とする請求項１ないし請求項４のうちのいずれか１つに記載の撮影条件設定方法。
【請求項６】
前記次優先目標は被曝線量、画質および撮影速度のうち前記最優先目標と異なるものである、
ことを特徴とする請求項５に記載の撮影条件設定方法。
【請求項７】
前記テーブル化された撮影条件は実績に基づく撮影条件である、
ことを特徴とする請求項１ないし請求項６のうちのいずれか１つに記載の撮影条件設定方法。
【請求項８】
前記テーブル化された撮影条件はシミュレーションに基づく撮影条件である、
ことを特徴とする請求項１ないし請求項６のうちのいずれか１つに記載の撮影条件設定方法。
【請求項９】
ヘリカルスキャンによる撮影を行うＸ線ＣＴ装置であって、
予めテーブル化された種々の撮影条件を記憶する記憶手段と、
使用者によって指定された患者の長幼、撮影部位、撮影長および最優先目標に応じて前記テーブルから撮影条件の候補を抽出するとともにその撮影条件の候補の下での患者の被曝線量を表示する表示手段と、
前記被曝線量を使用者が調整することを可能にする調整手段と、
前記撮影条件の候補に前記被曝線量の調整に応じた修正を施して撮影条件を確定する確定手段と、
を具備することを特徴とするＸ線ＣＴ装置。
【請求項１０】
前記最優先目標は被曝線量である、
ことを特徴とする請求項９に記載のＸ線ＣＴ装置。
【請求項１１】
前記最優先目標は被曝線量、画質および撮影速度のうちのいずれかである、
ことを特徴とする請求項９に記載のＸ線ＣＴ装置。
【請求項１２】
前記被曝線量はＤＬＰで表される、
ことを特徴とする請求項１０または請求項１１に記載のＸ線ＣＴ装置。
【請求項１３】
前記確定手段は、前記撮影条件の候補が複数ある場合は使用者によって指定された次優先目標に基づいて撮影条件を確定する、
ことを特徴とする請求項９ないし請求項１２のうちのいずれか１つに記載のＸ線ＣＴ装置。
【請求項１４】
前記次優先目標は被曝線量、画質および撮影速度のうち前記最優先目標と異なるものである、
ことを特徴とする請求項１３に記載のＸ線ＣＴ装置。
【請求項１５】
前記テーブル化された撮影条件は実績に基づく撮影条件である、
ことを特徴とする請求項９ないし請求項１４のうちのいずれか１つに記載のＸ線ＣＴ装置。
【請求項１６】
前記テーブル化された撮影条件はシミュレーションに基づく撮影条件である、
ことを特徴とする請求項９ないし請求項１４のうちのいずれか１つに記載のＸ線ＣＴ装置。
【発明の詳細な説明】
【技術分野】
【０００１】
本発明は、撮影条件設定方法およびＸ線ＣＴ（Ｃｏｍｐｕｔｅｄ  Ｔｏｍｏｇｒａｐｈｙ）装置に関し、特に、ヘリカルスキャン（ｈｅｌｉｃａｌ  ｓｃａｎ）による撮影を行うＸ線ＣＴ装置のための撮影条件設定方法、および、ヘリカルスキャンによる撮影を行うＸ線ＣＴ装置に関する。
【背景技術】
【０００２】
ヘリカルスキャンによる撮影を行うＸ線ＣＴ装置では、撮影開始前に使用者による撮影条件設定が行われる。撮影条件は、撮影の対象や目的に応じて様々に設定される。撮影条件設定により、管電圧、管電流、Ｘ線ビーム厚、画像スライス（ｓｌｉｃｅ）厚、ヘリカルピッチ（ｈｅｌｉｃａｌ  ｐｉｔｃｈ）等、各種のパラメータ（ｐａｒａｍｅｔｅｒ）が逐一設定される。設定された撮影条件については患者の被曝線量が表示され、使用者が撮影条件の適否を判定できるようになっている（例えば特許文献１参照）。
【特許文献１】特開２００３−７９６１１号公報（第８−９頁、図６−９）
【発明の開示】
【発明が解決しようとする課題】
【０００３】
上記のようなＸ線ＣＴ装置では、被曝線量が不適切な場合は撮影条件を設定し直す必要があるが、多数のパラメータからなる撮影条件を所期の目的が達成可能なように再設定することは容易でない。特に、Ｘ線検出器の検出列が多列化し、それに伴ってＸ線ビーム（ｂｅａｍ）のコーンビーム（ｃｏｎｅ  ｂｅａｍ）的性格が顕著となるにつれて、その困難性は倍加する。
【０００４】
特に、厚いビームでスキャンすると、早くスキャンが終了するものの、管電流の体軸方向の自動コントロールが大まかになって被曝線量が増加するので、どの厚さを選ぶかは患者年令や検査内容に応じて慎重に選ぶ必要がある。
【０００５】
そこで、本発明の課題は、ヘリカルスキャンにより所期の目的に合致した撮影を行うための撮影条件の設定が容易な撮影条件設定方法およびＸ線ＣＴ装置を実現することである。
【課題を解決するための手段】
【０００６】
（１）上記の課題を解決するためのひとつの観点での発明は、ヘリカルスキャンによる撮影を行うＸ線ＣＴ装置のための撮影条件設定方法であって、種々の撮影条件を予めテーブル化し、使用者によって指定された患者の長幼、撮影部位、撮影長および最優先目標に応じて前記テーブルから撮影条件の候補を抽出するとともにその撮影条件の候補の下での患者の被曝線量を表示し、前記被曝線量を使用者が調整することを可能にし、前記撮影条件の候補に前記被曝線量の調整に応じた修正を施して撮影条件を確定する、ことを特徴とする撮影条件設定方法である。
【０００７】
（２）上記の課題を解決するための他の観点での発明は、ヘリカルスキャンによる撮影を行うＸ線ＣＴ装置であって、予めテーブル化された種々の撮影条件を記憶する記憶手段と、使用者によって指定された患者の長幼、撮影部位、撮影長および最優先目標に応じて前記テーブルから撮影条件の候補を抽出するとともにその撮影条件の候補の下での患者の被曝線量を表示する表示手段と、前記被曝線量を使用者が調整することを可能にする調整手段と、前記撮影条件の候補に前記被曝線量の調整に応じた修正を施して撮影条件を確定する確定手段と、を具備することを特徴とするＸ線ＣＴ装置である。
【０００８】
前記最優先目標は被曝線量であることが、被曝線量を適正化する点で好ましい。前記最優先目標は被曝線量、画質および撮影速度のうちのいずれかであることが、被曝線量、画質または撮影速度を適正化する点で好ましい。前記被曝線量はＤＬＰで表されることが、総被爆線量を適正化する点で好ましい。
【０００９】
前記撮影条件の候補が複数ある場合は使用者によって指定された次優先目標に基づいて撮影条件を確定することが、最適な撮影条件を得る点で好ましい。前記次優先目標は被曝線量、画質および撮影速度のうち前記最優先目標と異なるものであることが、最適な撮影条件を得る点で好ましい。
【００１０】
前記テーブル化された撮影条件は実績に基づく撮影条件であることが、実績に裏付けられている点で好ましい。前記テーブル化された撮影条件はシミュレーションに基づく撮影条件であることが、実績に関わらず撮影条件を豊富化する点で好ましい。
【発明の効果】
【００１１】
上記各観点での発明では、種々の撮影条件を予めテーブル化し、使用者によって指定された患者の長幼、撮影部位、撮影長および最優先目標に応じて前記テーブルから撮影条件の候補を抽出するとともにその撮影条件の候補の下での患者の被曝線量を表示し、この被曝線量を使用者が調整することを可能にし、撮影条件の候補に被曝線量の調整に応じた修正を施して撮影条件を確定するので、ヘリカルスキャンにより所期の目的に合致した撮影を行うための撮影条件の設定が容易な撮影条件設定方法およびＸ線ＣＴ装置を実現することができる。
【発明を実施するための最良の形態】
【００１２】
以下、図面を参照して発明を実施するための最良の形態を説明する。なお、本発明は、発明を実施するための最良の形態に限定されるものではない。図１にＸ線ＣＴ装置のブロック（ｂｌｏｃｋ）図を示す。本装置は本発明を実施するための最良の形態の一例である。本装置の構成によって、Ｘ線ＣＴ装置に関する本発明を実施するための最良の形態の一例が示される。本装置の動作によって、撮影条件設定方法に関する本発明を実施するための最良の形態の一例が示される。
【００１３】
図１に示すように、本装置は、走査ガントリ（ｇａｎｔｒｙ）２、撮影テーブル（ｔａｂｌｅ）４および操作コンソール（ｃｏｎｓｏｌｅ）６を備えている。走査ガントリ２はＸ線管２０を有する。Ｘ線管２０から放射された図示しないＸ線は、コリメータ（ｃｏｌｌｉｍａｔｏｒ）２２によりコーン状のＸ線ビームすなわちコーンビームＸ線となるように成形（コリメーション：ｃｏｌｌｉｍａｔｉｏｎ）され、Ｘ線検出器２４に照射される。Ｘ線検出器２４は、Ｘ線ビームの広がりに合わせてアレイ（ａｒｒａｙ）状に配列された複数の検出素子を有する。Ｘ線検出器２４の構成については後にあらためて説明する。
【００１４】
Ｘ線管２０とＸ線検出器２４の間の空間には、撮影の対象が撮影テーブル４に搭載されて搬入される。Ｘ線管２０、コリメータ２２およびＸ線検出器２４は、Ｘ線照射・検出装置を構成する。Ｘ線照射・検出装置については後にあらためて説明する。
【００１５】
Ｘ線検出器２４にはデータ収集部２６が接続されている。データ収集部２６は、Ｘ線検出器２４の個々の検出素子の検出信号をディジタルデータ（ｄｉｇｉｔａｌ  ｄａｔａ）として収集する。検出素子の検出信号は、Ｘ線による対象の投影を表す信号となる。以下、これを投影データあるいは単にデータともいう。
【００１６】
Ｘ線管２０からのＸ線の照射は、Ｘ線コントローラ（ｃｏｎｔｒｏｌｌｅｒ）２８によって制御される。なお、Ｘ線管２０とＸ線コントローラ２８との接続関係については図示を省略する。コリメータ２２は、コリメータコントローラ３０によって制御される。なお、コリメータ２２とコリメータコントローラ３０との接続関係については図示を省略する。
【００１７】
以上のＸ線管２０からコリメータコントローラ３０までのものが、走査ガントリ２の回転部３４に搭載されている。回転部３４の回転は、回転コントローラ３６によって制御される。なお、回転部３４と回転コントローラ３６との接続関係については図示を省略する。
【００１８】
操作コンソール６はデータ処理装置６０を有する。データ処理装置６０は、例えばコンピュータ（ｃｏｍｐｕｔｅｒ）等によって構成される。データ処理装置６０には、制御インターフェース（ｉｎｔｅｒｆａｃｅ）６２が接続されている。制御インターフェース６２には、走査ガントリ２と撮影テーブル４が接続されている。データ処理装置６０は制御インターフェース６２を通じて走査ガントリ２および撮影テーブル４を制御する。
【００１９】
走査ガントリ２内のデータ収集部２６、Ｘ線コントローラ２８、コリメータコントローラ３０および回転コントローラ３６が、制御インターフェース６２を通じて制御される。なお、それら各部と制御インターフェース６２との個別の接続については図示を省略する。
【００２０】
データ処理装置６０には、データ収集バッファ６４が接続されている。データ収集バッファ６４には、走査ガントリ２のデータ収集部２６が接続されている。データ収集部２６で収集されたデータがデータ収集バッファ６４を通じてデータ処理装置６０に入力される。
【００２１】
データ処理装置６０には記憶装置６６が接続されている。記憶装置６６には、データ収集バッファ６４および制御インターフェース６２を通じてそれぞれデータ処理装置６０に入力された投影データが記憶される。記憶装置６６にはまたデータ処理装置６０用のプログラム（ｐｒｏｇｒａｍ）が記憶される。データ処理装置６０がそのプログラムを実行することにより、本装置の動作が遂行される。
【００２２】
データ処理装置６０は、データ収集バッファ６４を通じて記憶装置６６に収集した投影データを用いて画像再構成を行う。データ処理装置６０は、本発明における再構成手段の一例である。画像再構成には、例えばフィルタード・バックプロジェクション（ｆｉｌｔｅｒｅｄ  ｂａｃｋ  ｐｒｏｊｅｃｔｉｏｎ）法等が用いられる。
【００２３】
データ処理装置６０には、表示装置６８および操作装置７０が接続されている。表示装置６８は、グラフィックディスプレー（ｇｒａｐｈｉｃ  ｄｉｓｐｌａｙ）等で構成される。操作装置７０はポインティングデバイス（ｐｏｉｎｔｉｎｇ  ｄｅｖｉｃｅ）を備えたキーボード（ｋｅｙｂｏａｒｄ）等で構成される。
【００２４】
表示装置６８は、データ処理装置６０から出力される再構成画像やその他の情報を表示する。操作装置７０は、使用者によって操作され、各種の指示や情報等をデータ処理装置６０に入力する。使用者は表示装置６８および操作装置７０を使用してインタラクティブ（ｉｎｔｅｒａｃｔｉｖｅ）に本装置を操作する。
【００２５】
図２に、Ｘ線検出器２４の模式的構成を示す。同図に示すように、Ｘ線検出器２４は、複数のＸ線検出素子２４（ｉｋ）を２次元アレイ状に配列した多チャンネル（ｃｈａｎｎｅｌ）のＸ線検出器となっている。複数のＸ線検出素子２４（ｉｋ）は、全体として、円筒凹面状に湾曲したＸ線受光面を形成する。
【００２６】
ｉはチャンネル番号であり例えばｉ＝１，２，・・・，１０００である。ｋは列番号であり例えばｋ＝１，２，・・・，３２である。Ｘ線検出素子２４（ｉｋ）は、列番号ｋが同一なもの同士でそれぞれ検出素子列を構成する。なお、Ｘ線検出器２４の検出素子列は３２列に限るものではなく、適宜の複数であってよい。
【００２７】
Ｘ線検出素子２４（ｉｋ）は、例えばシンチレータ（ｓｃｉｎｔｉｌｌａｔｏｒ）とフォトダイオード（ｐｈｏｔｏ  ｄｉｏｄｅ）の組み合わせによって構成される。なお、これに限るものではなく、例えばカドミウム・テルル（ＣｄＴｅ）等を利用した半導体Ｘ線検出素子、あるいは、キセノン（Ｘｅ）ガスを利用した電離箱型のＸ線検出素子であってよい。
【００２８】
図３に、Ｘ線照射・検出装置におけるＸ線管２０とコリメータ２２とＸ線検出器２４の相互関係を示す。なお、図３の（ａ）は走査ガントリ２の正面から見た状態を示す図、（ｂ）は側面から見た状態を示す図である。同図に示すように、Ｘ線管２０から放射されたＸ線は、コリメータ２２によりコーン状のＸ線ビーム４００となるように成形されてＸ線検出器２４に照射される。
【００２９】
図３の（ａ）では、コーン状のＸ線ビーム４００のひとつの方向の広がりを示す。以下、この方向を幅方向ともいう。Ｘ線ビーム４００の幅方向は、Ｘ線検出器２４におけるチャンネルの配列方向に一致する。（ｂ）ではＸ線ビーム４００の他の方向の広がりを示す。以下、この方向をＸ線ビーム４００の厚み方向ともいう。Ｘ線ビーム４００の厚み方向は、Ｘ線検出器２４における複数の検出素子列の並設方向に一致する。Ｘ線ビーム４００の２つの広がり方向は互いに垂直である。
【００３０】
このようなＸ線ビーム４００に体軸を交差させて、例えば図４に示すように、撮影テーブル４に載置された対象８がＸ線照射空間に搬入される。走査ガントリ２は、内部にＸ線照射・検出装置を包含する筒状の構造になっている。
【００３１】
Ｘ線照射空間は走査ガントリ２の筒状構造の内側空間に形成される。Ｘ線ビーム４００によってスライスされた対象８の像がＸ線検出器２４に投影される。Ｘ線検出器２４によって、対象８を透過したＸ線が検出器列ごとに検出される。対象８に照射するＸ線ビーム４００の厚みｔｈは、コリメータ２２のアパーチャの開度により調節される。
【００３２】
Ｘ線照射・検出装置の回転に並行して、矢印４２で示すように撮影テーブル４を対象８の体軸方向に連続的に移動させることにより、Ｘ線照射・検出装置は、対象８に関して相対的に、対象８を包囲する螺旋状の軌道に沿って旋回することになる。これによっていわゆるヘリカルスキャン（ｈｅｌｉｃａｌ  ｓｃｎａ）が行われる。
【００３３】
スキャンの１回転当たり複数（例えば１０００程度）のビュー（ｖｉｅｗ）の投影データが収集される。投影データの収集は、Ｘ線検出器２４−データ収集部２６−データ収集バッファ６４の系列によって行われる。以下、投影データをスキャンデータともいう。また、各ビューの投影データをビューデータともいう。
【００３４】
本装置の動作を説明する。図５に、本装置の動作のフロー（ｆｌｏｗ）図を示す。同図に示すように、ステージ（ｓｔａｇｅ）５０１で撮影条件設定を行う。撮影条件設定の詳細については後述する。
【００３５】
次に、ステージ５０３でヘリカルスキャンを行う。ヘリカルスキャンは、ステージ５０１で設定された撮影条件に従って、走査ガントリ２および撮影テーブル４によって行われる。次に、ステージ５０５で画像再構成を行う。画像再構成はデータ処理装置６０によって行われる。データ処理装置６０は、ヘリカルスキャンによって収集した投影データに基づき、フィルタード・バックプロジェクション法等によって画像を再構成する。再構成された画像はステージ５０７で表示および記憶される。画像の表示は表示装置６０によって行われる。画像の記憶は記憶装置６６によって行われる。
【００３６】
図６に、撮影条件設定のフロー図を示す。同図に示すように、ステージ６０１で、アダルト／インファント，年令，アナトミー入力を行う。これらの入力は使用者により操作装置７０を通じて行われる。以下の各入力も同様である。患者が大人か幼児かに応じてアダルト（ａｄｕｌｔ）入力またはインファント（ｉｎｆａｎｔ）入力が行われかつその年令が入力される。またアナトミー（ａｎａｔｏｍｙ）入力により、頭部、眼球、頸部、胸部、腹部、脚部等、所望の撮影部位が入力される。
【００３７】
次に、ステージ６０３で、位置決めスキャンおよびスタート／エンド位置入力を行う。位置決めスキャンは、走査ガントリ２の回転を停止した状態で患者にＸ線を照射しつつ撮影テーブル４を患者の体軸方向に移動させることによって行われる。これによって患者の透視像すなわちスカウト（ｓｃｏｕｔ）画像が得られる。また、管電流自動コントロール（オートミリアンペア：  ａｕｔｏ  ｍＡ）のための体軸方向の位置ごとの平均Ｘ線量が求められる。スタート／エンド位置入力は、使用者が透視像を利用してヘリカルスキャンのスタート（ｓｔａｒｔ）位置およびエンド（ｅｎｄ）を入力することよって行われる。スタート／エンド位置入力によって、ヘリカルスキャンによる撮影長が定まる。
【００３８】
次に、ステージ６０５で、最優先目標入力を行う。最優先目標とは、この患者の撮影において最も優先する目標であり、例えば、小児等被曝線量の許容度が小さい患者については、被曝線量をできるだけ小さくすることが最優先される。これに対して、大人等被曝線量の許容度が比較的大きい患者については、被曝線量よりも画質または撮影速度を最優先することがあり得る。以下、被曝線量をドース（ｄｏｓｅ）ともいい、画質をＩＱ（ｉｍａｇｅ  ｑｕａｌｉｔｙ）ともいい、撮影速度をスピード（ｓｐｅｅｄ）ともいう。
【００３９】
最優先目標としては、例えば、ドース、ＩＱおよびスピードのいずれかが入力される。ドースの入力は、例えばＤＬＰ（ｄｏｓｅ  ｌｅｎｇｈｔｈ  ｐｒｏｄｕｃｔ）を数値で入力することにより行われる。あるいは、ドースを可能な限り小さくするという意味で、ドース優先という入力が行われる。ＩＱおよびスピードについては、ＩＱを可能な限り良くするという意味でＩＱ優先という入力が行われ、スピードを可能な限り良くするという意味でスピード優先という入力が行われる。
【００４０】
次に、ステージ６０７で、撮影条件候補抽出およびＤＬＰ表示を行う。撮影条件候補抽出およびＤＬＰ表示はデータ処理装置６０によって行われる。データ処理装置６０は、記憶装置６６に予め記憶されている撮影条件テーブルから、アダルト／インファント、アナトミー、撮影長および最優先目標に合わせて撮影条件の候補を抽出し、かつ、その条件で撮影を行うとしたときのＤＬＰを表示する。
【００４１】
このＤＬＰはいわばデフォルト（ｄｅｆａｕｌｔ）ＤＬＰである。撮影条件の候補が複数あるときはそれらの全てが抽出され、それぞれについてデフォルトＤＬＰが表示される。撮影条件の候補およびデフォルトＤＬＰの表示は表示装置６８に行われる。
【００４２】
撮影条件テーブルは、種々の撮影条件をテーブル化したものであり、管電圧、管電流、ビーム厚、ヘリカルピッチ、再構成画像のスライス厚、画像再構成用フィルタ等に関し、様々なパラメータの組み合わせがテーブルされている。管電流は、患者の体軸方向のＸ線透過量に応じて予め位置決めスキャンで得られた体軸方向の電流プロファイル（ｐｒｏｆｉｌｅ）の形で記憶されている。電流プロファイルは、ビーム厚が薄いほど精細であり、ビーム厚が厚いほど大まかである。精細なプロファイルは大まかなプロファイルよりもドース低減に有効である。
【００４３】
このような撮影条件テーブルは、例えば、過去の撮影実績の集大成によって形成される。あるいは、種々の撮影状況のシミュレーション（ｓｉｍｕｌａｔｉｏｎ）によって形成してもよい。
【００４４】
次に、ステージ６０９で、ＤＬＰ調整を行う。ＤＬＰ調整は使用者により行われる。デフォルトＤＬＰは所望のＤＬＰより大きいことがあり得るので、そのような場合、使用者は、表示されたＤＬＰが所望の値になるように操作装置７０を通じて調整する。このＤＬＰ調整にともなって、データ処理装置６０は、抽出した撮影条件をそのＤＬＰが調整後のＤＬＰ一致するように修正する。撮影条件の修正は、例えば、管電流プロファイルの振幅をを全体的に縮小すること等により行われる。なお、デフォルトＤＬＰが所望のＤＬＰ以下であるときは、ＤＬＰ調整は行われず、したがって撮影条件の修正は行われない。
【００４５】
次に、ステージ６１１で、次優先目標を入力する。次優先目標の入力は使用者によって行われる。次優先目標は、最優先目標の次に優先する目標であり、ドース、ＩＱおよびスピードのうち最優先目標としなかった目標が入力される。これによって、例えば、ドースが最優先目標であったとすると、次優先目標としてはＩＱまたはスピードが入力される。これらはＩＱ優先またはスピード優先として入力される。なお、次優先目標の入力は場合によっては省略可能である。
【００４６】
次に、ステージ６１３で、最適撮影条件抽出を行う。最適撮影条件抽出はデータ処理装置６０によって行われる。データ処理装置６０は、撮影条件候補の中から次優先目標に合致する撮影条件を抽出する。これによって、撮影条件候補の中から最適な撮影条件が抽出される。
【００４７】
このように、アダルト／インファント、アナトミーおよびスタート／エンドを入力した後は、最優先目標および（必要に応じて）次優先目標を入力するだけで、最適な撮影条件が自動的に設定されるので、撮影条件を構成する個々のパラメータを逐一入力する必要がなく、撮影条件設定が極めて容易になる。このような撮影条件で、次のステージ５０３のヘリカルスキャンが行われる。このため、撮影結果は最優先目標および次優先目標を達成するものとなる。
【００４８】
図７に、最優先目標の入力に伴って抽出された撮影条件候補およびデフォルトＤＬＰの表示例を示す。なお、最優先目標としてはＤＬＰ＝１００ｍＧｙｃｍが入力されたものとする。この最優先目標に対して、デフォルトＤＬＰがそれに近い撮影条件候補が自動的に抽出されてデフォルトＤＬＰとともに表示される。
【００４９】
ここで、デフォルトＤＬＰの値は１２０ｍＧｙｃｍとなっている。撮影条件を構成するスキャンパラメータとしては、例えば、スキャンタイム（ｓｃａｎ  ｔｉｍｅ）、ビーム厚（ｂｅａｍ  ｔｈｉｃｋｎｅｓｓ）、ヘリカルピッチ（ｈｅｌｉｃａｌ  ｐｉｔｈｃｈ）、データ収集モード（ｄａｔａ  ａｃｑ．  ｍｏｄｅ）、画像スライス厚（ｉｍａｇｅ  ｔｈｉｃｋｎｅｓｓ）、画像間隔（ｉｍａｇｅ  ｉｎｔｅｒｖａｌ）、管電流（ａｕｔｏ  ｍＡ）、管電圧（ｋＶ）、チルト角度（ｔｉｌｔ）、フィールド・オブ・ビュー（ＦＯＶ）、トータルスキャンタイム（ｔｏｔａｌ  ｓｃａｎ  ｔｉｍｅ）が表示される。
【００５０】
このような撮影条件候補について、デフォルトＤＬＰを最優先目標に合わせて１００ｍＧｙｃｍに削減すると、それに応じて撮影条件候補が自動的に修正され、図８に示すような最適撮影条件が得られる。
【００５１】
図９に、撮影条件候補が２つ抽出された場合の表示例を示す。なお、最優先目標としてＤＬＰ＝１００ｍＧｙｃｍが入力されたものとする。この最優先目標に対して、デフォルトＤＬＰがそれに近い２つの撮影条件候補が自動的に抽出されてデフォルトＤＬＰとともに表示される。これらは一次候補である。
【００５２】
デフォルトＤＬＰはいずれも１２０ｍＧｙｃｍである。これら撮影条件候補について、デフォルトＤＬＰを最優先目標に合わせて１００ｍＧｙｃｍに削減すると、それに応じて撮影条件候補が自動的に修正され、図１０に示すような撮影条件が表示される。これらは二次候補である。
【００５３】
これら二次候補の中から、次優先目標に応じてどちらか一方が自動的に選択されて最適撮影条件となる。次優先目標としてスピードが指定されたときは、二次候補Ａが選択され、ＩＱが指定されたときは、二次候補Ｂが選択される。
【図面の簡単な説明】
【００５４】
【図１】Ｘ線ＣＴ装置のブロック図である。
【図２】Ｘ線検出器の構成を示す図である。
【図３】Ｘ線照射・検出装置の構成を示す図である。
【図４】Ｘ線照射・検出装置と対象との関係を示す図である。
【図５】Ｘ線ＣＴ装置の動作を示すフロー図である。
【図６】Ｘ線ＣＴ装置の動作を示すフロー図である。
【図７】撮影条件候補の表示例を示す図である。
【図８】最適撮影条件の表示例を示す図である。
【図９】撮影条件候補の表示例を示す図である。
【図１０】撮影条件候補の表示例を示す図である。
【符号の説明】
【００５５】
２  走査ガントリ
４  撮影テーブル
６  操作コンソール
２０  Ｘ線管
【図１】
2005080748.tif 000003
【図２】
2005080748.tif 000004
【図３】
2005080748.tif 000005
【図４】
2005080748.tif 000006
【図５】
2005080748.tif 000007
【図６】
2005080748.tif 000008
【図７】
2005080748.tif 000009
【図８】
2005080748.tif 000010
【図９】
2005080748.tif 000011
【図１０】
2005080748.tif 000012